(57)【要約】【課題】キーが不正に使用された場合に認証を行う可能性を従来と比較して低減する認証システムを提供すること。【解決手段】認証システムは、認証用識別情報３１２ａ及び登録用識別情報３１２ｂを記憶するメモリ３１２を有したキー３１０と、メモリ３１２によって記憶された認証用識別情報３１２ａに基づいて認証する認証装置と、メモリ３１２に認証用識別情報３１２ａを登録する認証用情報登録部４１３を有した登録装置４１０とを備え、登録装置４１０は、メモリ３１２に認証用識別情報３１２ａを登録するためにメモリ３１２によって記憶された登録用識別情報３１２ｂに基づいて認証する登録用認証部４１２を有し、認証用情報登録部４１３は、登録用認証部４１２によって認証したときにメモリ３１２に認証用識別情報３１２ａを登録するようにする。【選択図】　　　図３
2004143724.tif 000002
【特許請求の範囲】
【請求項１】
第１の識別情報及び第２の識別情報を記憶する記憶部を有したキーと、前記記憶部によって記憶された前記第１の識別情報に基づいて認証する認証部を有した認証装置と、前記記憶部に前記第１の識別情報を登録する登録部を有した登録装置とを備え、
前記登録装置は、前記記憶部に前記第１の識別情報を登録するために前記記憶部によって記憶された前記第２の識別情報に基づいて認証する登録用認証部を有し、
前記登録部は、前記登録用認証部によって認証したときに前記記憶部に前記第１の識別情報を登録することを特徴とする認証システム。
【請求項２】
前記認証装置は、前記認証部によって認証するときに前記記憶部によって記憶された前記第１の識別情報を消去する認証消去部を有したことを特徴とする請求項１に記載の認証システム。
【請求項３】
前記記憶部は、第３の識別情報を記憶し、
前記認証部は、前記記憶部によって記憶された前記第１の識別情報及び前記第３の識別情報に基づいて認証し、
前記認証装置は、前記認証消去部によって前記第１の識別情報を消去するときに前記記憶部に前記第３の識別情報を登録する消去登録部を有したことを特徴とする請求項２に記載の認証システム。
【請求項４】
前記キーは、前記登録部によって前記記憶部に前記第１の識別情報が登録されてからの経過時間を測定する時間測定部と、前記時間測定部によって測定された前記経過時間に基づいて前記記憶部によって記憶された前記第１の識別情報を消去する時間消去部とを有したことを特徴とする請求項１に記載の認証システム。
【請求項５】
前記時間消去部は、前記時間測定部によって測定された前記経過時間が予め設定された設定時間以上であるときに前記記憶部によって記憶された前記第１の識別情報を消去し、
前記キーは、前記設定時間を延長する時間延長部を有したことを特徴とする請求項４に記載の認証システム。
【請求項６】
登録装置によって登録されて認証装置による認証において使用される第１の識別情報、及び、前記登録装置が前記第１の識別情報を登録するための前記登録装置による認証において使用される第２の識別情報を記憶する記憶部を備えたことを特徴とするキー。
【請求項７】
前記第１の識別情報は、前記認証装置が認証するときに前記認証装置によって消去されることを特徴とする請求項６に記載のキー。
【請求項８】
前記記憶部は、前記認証装置が前記第１の識別情報を消去するときに前記認証装置によって登録されて前記認証装置による認証において使用される第３の識別情報を記憶することを特徴とする請求項７に記載のキー。
【請求項９】
前記登録装置によって前記記憶部に前記第１の識別情報が登録されてからの経過時間を測定する時間測定部と、前記時間測定部によって測定された前記経過時間に基づいて前記記憶部によって記憶された前記第１の識別情報を消去する時間消去部とを備えたことを特徴とする請求項６に記載のキー。
【請求項１０】
予め設定された設定時間を延長する時間延長部を備え、
前記時間消去部は、前記時間測定部によって測定された前記経過時間が前記設定時間以上であるときに前記記憶部によって記憶された前記第１の識別情報を消去することを特徴とする請求項９に記載のキー。
【請求項１１】
認証装置による認証において使用される第１の識別情報、及び、前記第１の識別情報が登録されるときに使用される第２の識別情報を記憶したキーに前記第１の識別情報を登録する登録部と、前記キーに前記第１の識別情報を登録するために前記キーによって記憶された前記第２の識別情報に基づいて認証する登録用認証部とを備え、
前記登録部は、前記登録用認証部によって認証したときに前記キーに前記第１の識別情報を登録することを特徴とする登録装置。
【請求項１２】
第１の識別情報、及び、前記第１の識別情報が登録されるときに使用される第２の識別情報を記憶したキーによって記憶された前記第１の識別情報に基づいて認証する認証部を備えたことを特徴とする認証装置。
【請求項１３】
前記認証部によって認証するときに前記キーによって記憶された前記第１の識別情報を消去する認証消去部を備えたことを特徴とする請求項１２に記載の認証装置。
【請求項１４】
前記認証消去部によって前記第１の識別情報を消去するときに前記キーに第３の識別情報を登録する消去登録部を備え、
前記認証部は、前記キーによって記憶された前記第１の識別情報及び前記第３の識別情報に基づいて認証することを特徴とする請求項１３に記載の認証装置。
【請求項１５】
認証装置による認証において使用される第１の識別情報、及び、前記第１の識別情報が登録されるときに使用される第２の識別情報を記憶したキーに前記第１の識別情報を登録する登録ステップと、前記キーに前記第１の識別情報を登録するために前記キーによって記憶された前記第２の識別情報に基づいて認証する登録用認証ステップとを備え、
前記登録ステップは、前記登録用認証ステップによって認証したときに前記キーに前記第１の識別情報を登録することを特徴とする登録方法。
【請求項１６】
第１の識別情報、及び、前記第１の識別情報が登録されるときに使用される第２の識別情報を記憶したキーによって記憶された前記第１の識別情報に基づいて認証する認証ステップを備えたことを特徴とする認証方法。
【請求項１７】
第１の識別情報、及び、前記第１の識別情報が登録されるときに使用される第２の識別情報を記憶したキーによって記憶された前記第１の識別情報に基づいて認証する認証ステップと、前記認証ステップによって認証するときに前記キーによって記憶された前記第１の識別情報を消去する認証消去ステップとを備えたことを特徴とする消去方法。
【発明の詳細な説明】
【０００１】
【発明の属する技術分野】
本発明は、キーと、認証を行う認証装置とを備えた認証システムに関するものである。
【０００２】
【従来の技術】
従来、認証システムとして、識別情報をそれぞれ記憶したキー及び認証装置を備え、キーによって記憶された識別情報と、認証装置によって記憶された識別情報とが一致した場合に、認証装置によって認証を行うものが知られている（例えば、特許文献１参照。）。
【０００３】
【特許文献１】
特開平１０−１９４０８７号公報（第２−３頁、第２図）
【０００４】
【発明が解決しようとする課題】
しかしながら、上記従来の認証システムにおいては、正規の使用者から盗難されたキーが使用された場合など、キーが不正に使用された場合であっても、認証装置によって認証を行うという問題があった。
【０００５】
そこで、本発明は、キーが不正に使用された場合に認証を行う可能性を従来と比較して低減する認証システムを提供することを目的とする。
【０００６】
【課題を解決するための手段】
上記課題を解決するために、本発明の認証システムは、第１の識別情報及び第２の識別情報を記憶する記憶部を有したキーと、前記記憶部によって記憶された前記第１の識別情報に基づいて認証する認証部を有した認証装置と、前記記憶部に前記第１の識別情報を登録する登録部を有した登録装置とを備え、前記登録装置は、前記記憶部に前記第１の識別情報を登録するために前記記憶部によって記憶された前記第２の識別情報に基づいて認証する登録用認証部を有し、前記登録部は、前記登録用認証部によって認証したときに前記記憶部に前記第１の識別情報を登録する構成を有している。
【０００７】
この構成により、本発明の認証システムは、正しい第１の識別情報がキーに登録されなければ認証を行わないので、キーが不正に使用された場合に認証を行う可能性を従来と比較して低減することができる。
【０００８】
また、本発明の認証システムは、前記認証装置は、前記認証部によって認証するときに前記記憶部によって記憶された前記第１の識別情報を消去する認証消去部を有した構成を有している。
【０００９】
この構成により、本発明の認証システムは、認証を行う度にキーから第１の識別情報を消去するので、認証を行う度に正しい第１の識別情報がキーに登録されなければならず、キーが不正に使用された場合に認証を行う可能性を従来と比較して低減することができる。
【００１０】
また、本発明の認証システムは、前記記憶部は、第３の識別情報を記憶し、前記認証部は、前記記憶部によって記憶された前記第１の識別情報及び前記第３の識別情報に基づいて認証し、前記認証装置は、前記認証消去部によって前記第１の識別情報を消去するときに前記記憶部に前記第３の識別情報を登録する消去登録部を有した構成を有している。
【００１１】
この構成により、本発明の認証システムは、正しい第１の識別情報だけでなく、正しい第３の識別情報がキーに登録されなければ認証を行わないので、認証装置が第３の識別情報を使用して認証しない構成と比較して、キーが不正に使用された場合に認証を行う可能性を低減することができる。
【００１２】
また、本発明の認証システムは、前記キーは、前記登録部によって前記記憶部に前記第１の識別情報が登録されてからの経過時間を測定する時間測定部と、前記時間測定部によって測定された前記経過時間に基づいて前記記憶部によって記憶された前記第１の識別情報を消去する時間消去部とを有した構成を有している。
【００１３】
この構成により、本発明の認証システムは、キーに第１の識別情報が登録されてからの経過時間に基づいてキーに第１の識別情報を消去させるので、時間消去部を備えない構成と比較して、正しい第１の識別情報がキーに登録された後でキーが不正に使用された場合に認証を行う可能性を低減することができる。
【００１４】
また、本発明の認証システムは、前記時間消去部は、前記時間測定部によって測定された前記経過時間が予め設定された設定時間以上であるときに前記記憶部によって記憶された前記第１の識別情報を消去し、前記キーは、前記設定時間を延長する時間延長部を有した構成を有している。
【００１５】
この構成により、本発明の認証システムは、キーに第１の識別情報が登録されてからキーに第１の識別情報を消去させるまでの時間を延長することができるので、時間延長部を備えていない場合と比較して、正しい第１の識別情報がキーに登録された後でキーが正規の使用者に使用される場合にキーの正規の使用者に時間的な余裕を与えることができる。
【００１６】
また、本発明のキーは、登録装置によって登録されて認証装置による認証において使用される第１の識別情報、及び、前記登録装置が前記第１の識別情報を登録するための前記登録装置による認証において使用される第２の識別情報を記憶する記憶部を備えた構成を有している。
【００１７】
この構成により、本発明のキーは、正しい第１の識別情報が登録されなければ認証装置に認証を行わせないので、不正に使用された場合に認証装置に認証を行わせる可能性を従来と比較して低減することができる。
【００１８】
また、本発明のキーは、前記第１の識別情報は、前記認証装置が認証するときに前記認証装置によって消去される構成を有している。
【００１９】
この構成により、本発明のキーは、認証装置に認証を行わせる度に第１の識別情報が消去されるので、認証装置に認証を行わせる度に正しい第１の識別情報が登録されなければならず、不正に使用された場合に認証装置に認証を行わせる可能性を従来と比較して低減することができる。
【００２０】
また、本発明のキーは、前記記憶部は、前記認証装置が前記第１の識別情報を消去するときに前記認証装置によって登録されて前記認証装置による認証において使用される第３の識別情報を記憶する構成を有している。
【００２１】
この構成により、本発明のキーは、正しい第１の識別情報だけでなく、正しい第３の識別情報が登録されなければ認証装置に認証を行わせないので、第３の識別情報を使用した認証を認証装置に行わせない構成と比較して、不正に使用された場合に認証装置に認証を行わせる可能性を低減することができる。
【００２２】
また、本発明のキーは、前記登録装置によって前記記憶部に前記第１の識別情報が登録されてからの経過時間を測定する時間測定部と、前記時間測定部によって測定された前記経過時間に基づいて前記記憶部によって記憶された前記第１の識別情報を消去する時間消去部とを備えた構成を有している。
【００２３】
この構成により、本発明のキーは、第１の識別情報が登録されてからの経過時間に基づいて第１の識別情報を消去するので、時間消去部を備えない構成と比較して、正しい第１の識別情報が登録された後で不正に使用された場合に認証装置に認証を行わせる可能性を低減することができる。
【００２４】
また、本発明のキーは、予め設定された設定時間を延長する時間延長部を備え、前記時間消去部は、前記時間測定部によって測定された前記経過時間が前記設定時間以上であるときに前記記憶部によって記憶された前記第１の識別情報を消去する構成を有している。
【００２５】
この構成により、本発明のキーは、第１の識別情報が登録されてから第１の識別情報を消去するまでの時間を延長することができるので、時間延長部を備えていない場合と比較して、正しい第１の識別情報が登録された後で正規の使用者に使用される場合に正規の使用者に時間的な余裕を与えることができる。
【００２６】
また、本発明の登録装置は、認証装置による認証において使用される第１の識別情報、及び、前記第１の識別情報が登録されるときに使用される第２の識別情報を記憶したキーに前記第１の識別情報を登録する登録部と、前記キーに前記第１の識別情報を登録するために前記キーによって記憶された前記第２の識別情報に基づいて認証する登録用認証部とを備え、前記登録部は、前記登録用認証部によって認証したときに前記キーに前記第１の識別情報を登録する構成を有している。
【００２７】
この構成により、本発明の登録装置は、正しい第１の識別情報をキーに登録しなければ認証装置に認証を行わせないので、キーが不正に使用された場合に認証装置に認証を行わせる可能性を従来と比較して低減することができる。
【００２８】
また、本発明の認証装置は、第１の識別情報、及び、前記第１の識別情報が登録されるときに使用される第２の識別情報を記憶したキーによって記憶された前記第１の識別情報に基づいて認証する認証部を備えた構成を有している。
【００２９】
この構成により、本発明の認証装置は、正しい第１の識別情報がキーに登録されなければ認証を行わないので、キーが不正に使用された場合に認証を行う可能性を従来と比較して低減することができる。
【００３０】
また、本発明の認証装置は、前記認証部によって認証するときに前記キーによって記憶された前記第１の識別情報を消去する認証消去部を備えた構成を有している。
【００３１】
この構成により、本発明の認証装置は、認証を行う度にキーから第１の識別情報を消去するので、認証を行う度に正しい第１の識別情報がキーに登録されなければならず、キーが不正に使用された場合に認証を行う可能性を従来と比較して低減することができる。
【００３２】
また、本発明の認証装置は、前記認証消去部によって前記第１の識別情報を消去するときに前記キーに第３の識別情報を登録する消去登録部を備え、前記認証部は、前記キーによって記憶された前記第１の識別情報及び前記第３の識別情報に基づいて認証する構成を有している。
【００３３】
この構成により、本発明の認証装置は、正しい第１の識別情報だけでなく、正しい第３の識別情報がキーに登録されなければ認証を行わないので、第３の識別情報を使用して認証しない構成と比較して、キーが不正に使用された場合に認証を行う可能性を低減することができる。
【００３４】
また、本発明の登録方法は、認証装置による認証において使用される第１の識別情報、及び、前記第１の識別情報が登録されるときに使用される第２の識別情報を記憶したキーに前記第１の識別情報を登録する登録ステップと、前記キーに前記第１の識別情報を登録するために前記キーによって記憶された前記第２の識別情報に基づいて認証する登録用認証ステップとを備え、前記登録ステップは、前記登録用認証ステップによって認証したときに前記キーに前記第１の識別情報を登録する構成を有している。
【００３５】
この構成により、本発明の登録方法は、正しい第１の識別情報をキーに登録しなければ認証装置に認証を行わせないので、キーが不正に使用された場合に認証装置に認証を行わせる可能性を従来と比較して低減することができる。
【００３６】
また、本発明の認証方法は、第１の識別情報、及び、前記第１の識別情報が登録されるときに使用される第２の識別情報を記憶したキーによって記憶された前記第１の識別情報に基づいて認証する認証ステップを備えた構成を有している。
【００３７】
この構成により、本発明の認証方法は、正しい第１の識別情報がキーに登録されなければ認証を行わないので、キーが不正に使用された場合に認証を行う可能性を従来と比較して低減することができる。
【００３８】
また、本発明の消去方法は、第１の識別情報、及び、前記第１の識別情報が登録されるときに使用される第２の識別情報を記憶したキーによって記憶された前記第１の識別情報に基づいて認証する認証ステップと、前記認証ステップによって認証するときに前記キーによって記憶された前記第１の識別情報を消去する認証消去ステップとを備えた構成を有している。
【００３９】
この構成により、本発明の消去方法は、認証を行う度にキーから第１の識別情報を消去するので、認証を行う度に正しい第１の識別情報がキーに登録されなければならず、キーが不正に使用された場合に認証を行う可能性を従来と比較して低減することができる。
【００４０】
【発明の実施の形態】
以下、本発明の実施の形態について、図面を用いて説明する。
【００４１】
（第１の実施の形態）
【００４２】
まず、第１の実施の形態に係る認証システムの構成について説明する。
【００４３】
図１から図３までにおいて、本実施の形態に係る認証システム１００は、車両８００のドア８１０に設置されて認証を行うことによってドア８１０の開錠を許可する認証装置２１０と、車両８００のハンドル８２０の近傍に設置されて認証を行うことによって車両８００のエンジンの始動を許可する認証装置２２０と、認証装置２１０及び認証装置２２０による認証において使用される第１の識別情報としての認証用識別情報３１２ａを記憶するキー３１０と、キー３１０に認証用識別情報３１２ａを登録する登録装置４１０とを備えている。
【００４４】
なお、認証装置２１０及び認証装置２２０は、互いに同様な構成を有しているので、以下においては、認証装置２１０及び認証装置２２０のうち認証装置２１０のみについて説明し、認証装置２２０については説明を省略する。
【００４５】
認証装置２１０は、信号の入出力を行う入出力端子２１１と、ドア８１０の開錠を許可する許可部２１２と、キー３１０によって記憶された認証用識別情報３１２ａに基づいて許可部２１２での許可のために認証を行う認証部としての許可用認証部２１３とを有している。ここで、許可用認証部２１３は、予め決められた識別情報を記憶しており、記憶している識別情報と、入力した認証用識別情報３１２ａとが一致したときに認証するようになっている。また、許可部２１２及び許可用認証部２１３は、図示していないＣＰＵ（Ｃｅｎｔｒａｌ　Ｐｒｏｃｅｓｓｉｎｇ　Ｕｎｉｔ）及びメモリによって構成されている。
【００４６】
また、キー３１０は、信号の入出力を行う入出力端子３１１と、認証用識別情報３１２ａ、及び、登録装置４１０が認証用識別情報３１２ａを登録するための登録装置４１０による認証において使用される第２の識別情報としての登録用識別情報３１２ｂを記憶する記憶部としての例えばフラッシュメモリなどのメモリ３１２とを有している。
【００４７】
また、登録装置４１０は、信号の入出力を行う入出力端子４１１と、キー３１０のメモリ３１２に認証用識別情報３１２ａを登録するためにメモリ３１２によって記憶された登録用識別情報３１２ｂに基づいて認証する登録用認証部４１２と、登録用認証部４１２によって認証したときにメモリ３１２に認証用識別情報３１２ａを登録する登録部としての認証用情報登録部４１３とを有している。ここで、登録用認証部４１２は、予め決められた識別情報を記憶しており、記憶している識別情報と、入力した登録用識別情報３１２ｂとが一致したときに認証するようになっている。また、登録用認証部４１２及び認証用情報登録部４１３は、図示していないＣＰＵ及びメモリによって構成されている。
【００４８】
次に、本実施の形態に係る認証システムの動作について説明する。
【００４９】
使用者がキー３１０を登録装置４１０に差し込むと、図３に示すように、キー３１０の入出力端子３１１と、登録装置４１０の入出力端子４１１とが接続される。
【００５０】
入出力端子３１１と入出力端子４１１とが接続されると、登録装置４１０の登録用認証部４１２は、図４に示すように、キー３１０のメモリ３１２によって記憶された登録用識別情報３１２ｂを入出力端子３１１と入出力端子４１１とを介してメモリ３１２から取得し、取得した登録用識別情報３１２ｂと、記憶している識別情報とを比較して認証を試みる（ステップＳ５０１）。
【００５１】
登録用認証部４１２が認証を試みると、登録装置４１０の認証用情報登録部４１３は、登録用認証部４１２が認証する登録用認証ステップを行ったか否かを判断する（ステップＳ５０２）。
【００５２】
認証用情報登録部４１３は、登録用認証部４１２が登録用認証ステップを行ったとステップＳ５０２において判断したとき、認証用識別情報３１２ａを入出力端子４１１と入出力端子３１１とを介してメモリ３１２に登録する登録ステップを行う（ステップＳ５０３）。一方、認証用情報登録部４１３は、登録用認証部４１２が登録用認証ステップを行わなかったとステップＳ５０２において判断したとき、認証用識別情報３１２ａをメモリ３１２に登録しない。
【００５３】
使用者がキー３１０を認証装置２１０に差し込むと、図２に示すように、キー３１０の入出力端子３１１と、認証装置２１０の入出力端子２１１とが接続される。
【００５４】
入出力端子３１１と入出力端子２１１とが接続されると、認証装置２１０の許可用認証部２１３は、図５に示すように、キー３１０のメモリ３１２によって記憶された認証用識別情報３１２ａを入出力端子３１１と入出力端子２１１とを介してメモリ３１２から取得し、取得した認証用識別情報３１２ａと、記憶している識別情報とを比較して認証を試みる（ステップＳ５１１）。
【００５５】
許可用認証部２１３が認証を試みると、認証装置２１０の許可部２１２は、許可用認証部２１３が認証する認証ステップを行ったか否かを判断する（ステップＳ５１２）。
【００５６】
許可部２１２は、許可用認証部２１３が認証ステップを行ったとステップＳ５１２において判断したとき、車両８００のドア８１０の開錠を許可する（ステップＳ５１３）。一方、許可部２１２は、許可用認証部２１３が認証ステップを行わなかったとステップＳ５１２において判断したとき、ドア８１０の開錠を許可しない。
【００５７】
なお、使用者は、許可部２１２がドア８１０の開錠を許可するときにドア８１０を開けることができ、許可部２１２がドア８１０の開錠を許可しないときにドア８１０を開けることができない。
【００５８】
以上に説明したように、本発明の登録方法及び認証方法を適用した認証システム１００は、正しい認証用識別情報３１２ａがキー３１０に登録されなければ認証を行わないので、認証システム１００に認証を行わせる人は、キー３１０だけでなく、正しい認証用識別情報３１２ａをキー３１０に登録することができる登録装置４１０をも使用できなければならない。
【００５９】
したがって、認証システム１００は、キー３１０が不正に使用された場合に認証を行う可能性を従来と比較して低減することができる。
【００６０】
なお、キー３１０及び認証装置２１０は、キー３１０が認証装置２１０に差し込まれることによって、キー３１０の入出力端子３１１と、認証装置２１０の入出力端子２１１とが接続される構成になっていたが、本発明によれば、キー３１０の入出力端子３１１と、認証装置２１０の入出力端子２１１とが接続される構成であれば、キー３１０が認証装置２１０に差し込まれる構成以外の構成であっても良い。
【００６１】
また、キー３１０及び登録装置４１０は、キー３１０が登録装置４１０に差し込まれることによって、キー３１０の入出力端子３１１と、登録装置４１０の入出力端子４１１とが接続される構成になっていたが、本発明によれば、キー３１０の入出力端子３１１と、登録装置４１０の入出力端子４１１とが接続される構成であれば、キー３１０が登録装置４１０に差し込まれる構成以外の構成であっても良い。
【００６２】
（第２の実施の形態）
【００６３】
まず、第２の実施の形態に係る認証システムの構成について説明する。
【００６４】
なお、本実施の形態に係る認証システムの構成のうち第１の実施の形態に係る認証システムの構成と同様である構成については、第１の実施の形態に係る認証システムの構成と同一の符号を付して詳細な説明を省略する。
【００６５】
本実施の形態に係る認証システムの構成は、第１の実施の形態に係る認証システムがキー３１０（図２及び図３参照）に代えて図６に示すキー３２０を備えた構成と同様である。
【００６６】
キー３２０の構成は、登録装置４１０（図３参照）の認証用情報登録部４１３（図３参照）によってメモリ３１２に認証用識別情報３１２ａが登録されてからの経過時間を測定する時間測定部３２１と、時間測定部３２１によって測定された経過時間に基づいてメモリ３１２によって記憶された認証用識別情報３１２ａを消去する時間消去部３２２とをキー３１０が有した構成と同様である。
【００６７】
なお、時間消去部３２２は、時間測定部３２１によって測定された経過時間が予め設定された設定時間以上であるときにメモリ３１２によって記憶された認証用識別情報３１２ａを消去するようになっており、図示していないＣＰＵ及びメモリによって構成されている。
【００６８】
次に、本実施の形態に係る認証システムの動作について説明する。
【００６９】
なお、本実施の形態に係る認証システムの動作のうち第１の実施の形態に係る認証システムの動作と同様である動作については、詳細な説明を省略する。
【００７０】
使用者がキー３２０を登録装置４１０に差し込み、登録装置４１０が第１の実施の形態において説明したように認証用識別情報３１２ａをメモリ３１２に登録すると、キー３２０の時間測定部３２１は、登録装置４１０によってメモリ３１２に認証用識別情報３１２ａが登録されてからの経過時間を測定する。
【００７１】
そして、時間消去部３２２は、時間測定部３２１によって測定された経過時間が設定時間以上になったときにメモリ３１２によって記憶された認証用識別情報３１２ａを消去する。
【００７２】
なお、使用者は、キー３２０に記憶された認証用識別情報３１２ａが時間消去部３２２によって消去されたとき、再びキー３２０を登録装置４１０に差し込むことによってキー３２０に認証用識別情報３１２ａを登録することができる。
【００７３】
以上に説明したように、本実施の形態に係る認証システムは、キー３２０に認証用識別情報３１２ａが登録されてからの経過時間に基づいてキー３２０に認証用識別情報３１２ａを消去させるので、本実施の形態に係る認証システムに認証を行わせる人は、キー３２０に認証用識別情報３１２ａが登録されてからの経過時間が設定時間以上になる前に認証装置２１０（図２参照）に認証させなければならない。
【００７４】
したがって、本実施の形態に係る認証システムは、時間消去部３２２を備えない構成と比較して、正しい認証用識別情報３１２ａがキー３２０に登録された後でキー３２０が不正に使用された場合に認証を行う可能性を低減することができる。
【００７５】
（第３の実施の形態）
【００７６】
まず、第３の実施の形態に係る認証システムの構成について説明する。
【００７７】
なお、本実施の形態に係る認証システムの構成のうち第２の実施の形態に係る認証システムの構成と同様である構成については、第２の実施の形態に係る認証システムの構成と同一の符号を付して詳細な説明を省略する。
【００７８】
本実施の形態に係る認証システムの構成は、第２の実施の形態に係る認証システムがキー３２０（図６参照）に代えて図７及び図８に示すキー３３０を備えた構成と同様である。
【００７９】
キー３３０の構成は、押されることによって時間消去部３２２に設定時間を延長させる時間延長ボタン３３１をキー３２０が有した構成と同様である。ここで、時間消去部３２２及び時間延長ボタン３３１は、設定時間を延長する時間延長部を構成している。
【００８０】
次に、本実施の形態に係る認証システムの動作について説明する。
【００８１】
なお、本実施の形態に係る認証システムの動作のうち第２の実施の形態に係る認証システムの動作と同様である動作については、詳細な説明を省略する。
【００８２】
使用者が時間延長ボタン３３１を押すと、時間消去部３２２は、時間延長ボタン３３１が使用者によって押されたことを検知して、設定時間を延長する。
【００８３】
そして、時間消去部３２２は、時間測定部３２１によって測定された経過時間が延長した設定時間以上になったときにメモリ３１２によって記憶された認証用識別情報３１２ａを消去する。
【００８４】
以上に説明したように、本実施の形態に係る認証システムは、キー３３０に認証用識別情報３１２ａが登録されてからキー３３０に認証用識別情報３１２ａを消去させるまでの時間を延長することができるので、時間延長ボタン３３１を備えていない場合と比較して、正しい認証用識別情報３１２ａがキー３３０に登録された後でキー３３０が正規の使用者に使用される場合にキー３３０の正規の使用者に時間的な余裕を与えることができる。
【００８５】
（第４の実施の形態）
【００８６】
まず、第４の実施の形態に係る認証システムの構成について説明する。
【００８７】
なお、本実施の形態に係る認証システムの構成のうち第１の実施の形態に係る認証システムの構成と同様である構成については、第１の実施の形態に係る認証システムの構成と同一の符号を付して詳細な説明を省略する。
【００８８】
本実施の形態に係る認証システムの構成は、第１の実施の形態に係る認証システムが認証装置２１０（図２参照）に代えて図９に示す認証装置２３０を備えた構成と同様である。
【００８９】
認証装置２３０の構成は、許可用認証部２１３によって認証するときにキー３１０のメモリ３１２によって記憶された認証用識別情報３１２ａを消去する認証消去部２３１と、予め設定された長さ以上に差し込まれたキー３１０を検出するキー検出部２３２とを認証装置２１０が有した構成と同様である。
【００９０】
ここで、許可部２１２、許可用認証部２１３及び認証消去部２３１は、図示していないＣＰＵ及びメモリによって構成されている。
【００９１】
次に、本実施の形態に係る認証システムの動作について説明する。
【００９２】
なお、本実施の形態に係る認証システムの動作のうち第１の実施の形態に係る認証システムの動作と同様である動作については、詳細な説明を省略する。
【００９３】
使用者がキー３１０を認証装置２３０に差し込むと、図９に示すように、キー３１０の入出力端子３１１と、認証装置２３０の入出力端子２１１とが接続された後、キー検出部２３２がキー３１０を検出する。
【００９４】
入出力端子３１１と入出力端子２１１とが接続されてキー検出部２３２がキー３１０を検出すると、認証装置２３０の許可用認証部２１３は、図１０に示すように、キー３１０のメモリ３１２によって記憶された認証用識別情報３１２ａを入出力端子３１１と入出力端子２１１とを介してメモリ３１２から取得し、取得した認証用識別情報３１２ａと、記憶している識別情報とを比較して認証を試みる（ステップＳ５２１）。
【００９５】
許可用認証部２１３が認証を試みると、認証装置２３０の許可部２１２は、許可用認証部２１３が認証する認証ステップを行ったか否かを判断する（ステップＳ５２２）。
【００９６】
許可部２１２は、許可用認証部２１３が認証ステップを行ったとステップＳ５２２において判断したとき、車両８００（図１参照）のドア８１０（図１参照）の開錠を許可する（ステップＳ５２３）。一方、許可部２１２は、許可用認証部２１３が認証ステップを行わなかったとステップＳ５２２において判断したとき、ドア８１０の開錠を許可しない。
【００９７】
なお、使用者は、許可部２１２がドア８１０の開錠を許可するときにドア８１０を開けることができ、許可部２１２がドア８１０の開錠を許可しないときにドア８１０を開けることができない。
【００９８】
許可部２１２がドア８１０の開錠を許可した後、キー３１０が認証装置２３０から抜き出される方向に使用者によって移動させられてキー検出部２３２によって検出されなくなると、認証消去部２３１は、キー検出部２３２による検出結果を受けてキー３１０が認証装置２３０から抜き出されていることを検出し（ステップＳ５２４）、キー３１０のメモリ３１２によって記憶された認証用識別情報３１２ａを入出力端子２１１と入出力端子３１１とを介して消去する認証消去ステップを行う（ステップＳ５２５）。
【００９９】
なお、使用者は、キー３１０に記憶された認証用識別情報３１２ａが認証消去部２３１によって消去されたとき、再びキー３１０を登録装置４１０（図３参照）に差し込むことによってキー３１０に認証用識別情報３１２ａを登録することができる。
【０１００】
以上に説明したように、本発明の消去方法を適用した本実施の形態に係る認証システムは、認証を行う度にキー３１０から認証用識別情報３１２ａを消去するので、認証を行う度に正しい認証用識別情報３１２ａがキー３１０に登録されなければならず、本実施の形態に係る認証システムに認証を行わせる人は、正しい認証用識別情報３１２ａが登録されたキー３１０を使用できたとしても、正しい認証用識別情報３１２ａをキー３１０に登録することができる登録装置４１０をも使用できなければ、たかだか１回しか本実施の形態に係る認証システムに認証を行わせることができない。
【０１０１】
したがって、本実施の形態に係る認証システムは、キー３１０が不正に使用された場合に認証を行う可能性を従来と比較して低減することができる。
【０１０２】
なお、本実施の形態に係る認証システムは、キー３１０を備えていたが、本発明によれば、キー３１０に代えて、図６に示すキー３２０や、図７及び図８に示すキー３３０を備えていても良い。
【０１０３】
（第５の実施の形態）
【０１０４】
まず、第５の実施の形態に係る認証システムの構成について説明する。
【０１０５】
なお、本実施の形態に係る認証システムの構成のうち第４の実施の形態に係る認証システムの構成と同様である構成については、第４の実施の形態に係る認証システムの構成と同一の符号を付して詳細な説明を省略する。
【０１０６】
本実施の形態に係る認証システムの構成は、第４の実施の形態に係る認証システムが認証装置２３０（図９参照）及びキー３１０（図９参照）に代えて図１１に示す認証装置２４０及びキー３４０を備えた構成と同様である。
【０１０７】
キー３４０の構成は、認証装置２４０による認証において使用される第１の識別情報としての認証用識別情報３１２ａと、登録装置４１０（図３参照）が認証用識別情報３１２ａを登録するための登録装置４１０による認証において使用される第２の識別情報としての登録用識別情報３１２ｂと、認証装置２４０による認証において使用される第３の識別情報としての追加用識別情報３４１ａとを記憶する記憶部としてのメモリ３４１をメモリ３１２（図９参照）に代えてキー３１０が有した構成と同様である。
【０１０８】
また、認証装置２４０の構成は、キー３４０によって記憶された認証用識別情報３１２ａ及び追加用識別情報３４１ａに基づいて許可部２１２での許可のために認証を行う認証部としての許可用認証部２４１を許可用認証部２１３（図９参照）に代えて認証装置２３０が有し、キー３４０に記憶された認証用識別情報３１２ａを認証消去部２３１によって消去するときにキー３４０に追加用識別情報３４１ａを登録する消去登録部としての追加用情報登録部２４２を認証装置２３０が有した構成と同様である。
【０１０９】
ここで、許可用認証部２４１は、認証用識別情報３１２ａに対応して予め決められた識別情報と、追加用識別情報３４１ａに対応して予め決められた識別情報との２つの識別情報を記憶しており、記憶している識別情報のうち認証用識別情報３１２ａに対応して決められた識別情報と、入力した認証用識別情報３１２ａとが一致し、記憶している識別情報のうち追加用識別情報３４１ａに対応して決められた識別情報と、入力した追加用識別情報３４１ａとが一致したときに認証するようになっている。また、許可部２１２、認証消去部２３１、許可用認証部２４１及び追加用情報登録部２４２は、図示していないＣＰＵ及びメモリによって構成されている。
【０１１０】
次に、本実施の形態に係る認証システムの動作について説明する。
【０１１１】
なお、本実施の形態に係る認証システムの動作のうち第４の実施の形態に係る認証システムの動作と同様である動作については、詳細な説明を省略する。
【０１１２】
使用者がキー３４０を認証装置２４０に差し込むと、図１１に示すように、キー３４０の入出力端子３１１と、認証装置２４０の入出力端子２１１とが接続された後、キー検出部２３２がキー３４０を検出する。
【０１１３】
入出力端子３１１と入出力端子２１１とが接続されてキー検出部２３２がキー３４０を検出すると、認証装置２４０の許可用認証部２４１は、図１２に示すように、キー３４０のメモリ３４１によって記憶された認証用識別情報３１２ａ及び追加用識別情報３４１ａを入出力端子３１１と入出力端子２１１とを介してメモリ３４１から取得し、取得した認証用識別情報３１２ａと、記憶している識別情報のうち認証用識別情報３１２ａに対応して決められた識別情報とを比較するとともに、取得した追加用識別情報３４１ａと、記憶している識別情報のうち追加用識別情報３４１ａに対応して決められた識別情報とを比較して認証を試みる（ステップＳ５３１）。
【０１１４】
許可用認証部２４１が認証を試みると、認証装置２４０の許可部２１２は、許可用認証部２４１が認証したか否かを判断する（ステップＳ５３２）。
【０１１５】
許可部２１２は、許可用認証部２４１が認証したとステップＳ５３２において判断したとき、車両８００（図１参照）のドア８１０（図１参照）の開錠を許可する（ステップＳ５３３）。一方、許可部２１２は、許可用認証部２４１が認証しなかったとステップＳ５３２において判断したとき、ドア８１０の開錠を許可しない。
【０１１６】
なお、使用者は、許可部２１２がドア８１０の開錠を許可するときにドア８１０を開けることができ、許可部２１２がドア８１０の開錠を許可しないときにドア８１０を開けることができない。
【０１１７】
許可部２１２がドア８１０の開錠を許可した後、キー３４０が認証装置２４０から抜き出される方向に使用者によって移動させられてキー検出部２３２によって検出されなくなると、認証消去部２３１は、キー検出部２３２による検出結果を受けてキー３４０が認証装置２４０から抜き出されていることを検出し（ステップＳ５３４）、キー３４０のメモリ３４１によって記憶された認証用識別情報３１２ａを入出力端子２１１と入出力端子３１１とを介して消去する（ステップＳ５３５）。
【０１１８】
認証消去部２３１がキー３４０によって記憶された認証用識別情報３１２ａを消去すると、追加用情報登録部２４２は、入出力端子２１１と入出力端子３１１とを介してキー３４０のメモリ３４１に追加用識別情報３４１ａを登録する（ステップＳ５３６）。
【０１１９】
なお、使用者は、キー３４０に記憶された認証用識別情報３１２ａが認証消去部２３１によって消去されたとき、再びキー３４０を登録装置４１０に差し込むことによってキー３４０に認証用識別情報３１２ａを登録することができる。
【０１２０】
以上に説明したように、本実施の形態に係る認証システムは、正しい認証用識別情報３１２ａだけでなく、正しい追加用識別情報３４１ａがキー３４０に登録されなければ認証を行わないので、認証装置２４０が追加用識別情報３４１ａを使用して認証しない構成と比較して、キー３４０が不正に使用された場合に認証を行う可能性を低減することができる。
【０１２１】
なお、キー３４０は、本発明によれば、図６に示すキー３２０のように、時間測定部３２１と、時間消去部３２２とを有していても良いし、図７及び図８に示すキー３３０のように、時間測定部３２１及び時間消去部３２２と、時間延長ボタン３３１とを有していても良い。
【０１２２】
また、本実施の形態においては、認証消去部２３１がキー３４０によって記憶された認証用識別情報３１２ａを消去した後、追加用情報登録部２４２がキー３４０に追加用識別情報３４１ａを登録するようになっていたが、本発明によれば、追加用情報登録部２４２がキー３４０に追加用識別情報３４１ａを登録した後、認証消去部２３１がキー３４０によって記憶された認証用識別情報３１２ａを消去するようになっていても良い。
【０１２３】
【発明の効果】
以上説明したように、本発明によれば、キーが不正に使用された場合に認証を行う可能性を従来と比較して低減する認証システムを提供することができる。
【図面の簡単な説明】
【図１】本発明の第１の実施の形態に係る認証システムの構成図
【図２】図１に示す認証システムのキー及び認証装置のブロック図
【図３】図１に示す認証システムのキー及び登録装置のブロック図
【図４】登録装置にキーが挿入されたときの図１に示す認証システムの動作のフローチャート
【図５】認証装置にキーが挿入されたときの図１に示す認証システムの動作のフローチャート
【図６】本発明の第２の実施の形態に係る認証システムのキーのブロック図
【図７】本発明の第３の実施の形態に係る認証システムのキーの外観斜視図
【図８】図７に示すキーのブロック図
【図９】本発明の第４の実施の形態に係る認証システムのキー及び認証装置のブロック図
【図１０】認証装置にキーが挿入されたときの本発明の第４の実施の形態に係る認証システムの動作のフローチャート
【図１１】本発明の第５の実施の形態に係る認証システムのキー及び認証装置のブロック図
【図１２】認証装置にキーが挿入されたときの本発明の第５の実施の形態に係る認証システムの動作のフローチャート
【符号の説明】
１００　　　認証システム
２１０、２２０　　　認証装置
２１３　　　許可用認証部（認証部）
２３０　　　認証装置
２３１　　　認証消去部
２４０　　　認証装置
２４１　　　許可用認証部（認証部）
２４２　　　追加用情報登録部（消去登録部）
３１０　　　キー
３１２　　　メモリ（記憶部）
３１２ａ　　　認証用識別情報（第１の識別情報）
３１２ｂ　　　登録用識別情報（第２の識別情報）
３２０　　　キー
３２１　　　時間測定部
３２２　　　時間消去部（時間延長部）
３３０　　　キー
３３１　　　時間延長ボタン（時間延長部）
３４０　　　キー
３４１　　　メモリ（記憶部）
３４１ａ　　　追加用識別情報（第３の識別情報）
４１０　　　登録装置
４１２　　　登録用認証部
４１３　　　認証用情報登録部（登録部）
【図１】
2004143724.tif 000003
【図２】
2004143724.tif 000004
【図３】
2004143724.tif 000005
【図４】
2004143724.tif 000006
【図５】
2004143724.tif 000007
【図６】
2004143724.tif 000008
【図７】
2004143724.tif 000009
【図８】
2004143724.tif 000010
【図９】
2004143724.tif 000011
【図１０】
2004143724.tif 000012
【図１１】
2004143724.tif 000013
【図１２】
2004143724.tif 000014